(57)【特許請求の範囲】
【請求項１】
開口枠に左右方向に沿ってスライド自在に引戸を建て付け、全開させた状態における前記引戸を戸袋内に収納して納める引戸納め構造であって、
前記戸袋の戸袋口を形成するように、該戸袋を区画する前後両側の壁体の戸袋口側の側端部に沿って前後に間隔を空けて一対の中方立をそれぞれに設け、これら一対の中方立の互いに対向する側端部の高さ方向途中位置に、互いに向き合う方向に開口する手先挿入用切欠部をそれぞれに設け、かつ、これら一対の中方立のそれぞれに、前記手先挿入用切欠部を覆うカバー材を取り付けた構造とされており、
前記手先挿入用切欠部は、前記一対の中方立の左右方向の全体に亘ってそれぞれに切り欠くように設けられ、前記カバー材のそれぞれは、前記手先挿入用切欠部に沿う形状とされて前記戸袋口を拡大させるように互いに向き合う方向に開口する手先挿入用凹所を形成する構造とされていることを特徴とする引戸納め構造。
【請求項２】
請求項１において、
前記カバー材には、前記中方立の戸先側側面における前記手先挿入用切欠部に沿う縁部を覆う側面縁カバー部が設けられていることを特徴とする引戸納め構造。
【請求項３】
請求項１または２において、
前記壁体のそれぞれは、複数枚のボードを前後に重ね合わせるようにして形成されており、
前記カバー材の壁体側の側端部には、前記戸袋側に面して設けられる内側ボードの戸袋口側の側端部に当接されてこの内側ボードを位置決めする位置決め突片部が設けられていることを特徴とする引戸納め構造。
【請求項４】
請求項３において、
前記ボードは、石膏ボードであることを特徴とする引戸納め構造。
【請求項５】
請求項１乃至４のいずれか１項において、
前記カバー材によって形成される前記手先挿入用凹所を前記戸袋の戸尻側に向けて延出させるように、前記カバー材の左右方向に沿う寸法を、前記中方立の左右方向に沿う寸法よりも大きく形成したことを特徴とする引戸納め構造。
【請求項６】
請求項１乃至５のいずれか１項において、
前記引戸の戸先側端部の前後面のそれぞれには、前後方向に向けて開口する凹状の引手が当該引戸の高さ方向途中位置に設けられており、前記中方立の手先挿入用切欠部を、この引手の高さ位置に対応した高さ位置に設けたことを特徴とする引戸納め構造。
【請求項７】
開口枠に左右方向に沿ってスライド自在に引戸を建て付け、全開させた状態における前記引戸を、複数枚のボードを前後に重ね合わせるようにしてそれぞれに形成される前後両側の壁体に区画される戸袋内に収納して納める引戸納め構造の施工方法であって、
前記開口枠が設置される開口部の左右方向略中央に、互いに対向する側端部の高さ方向途中位置に互いに向き合う方向に開口する手先挿入用切欠部がそれぞれに設けられた一対の中方立を、前記戸袋の戸袋口を形成するように前後に間隔を空けて施工する工程と、
前記手先挿入用切欠部に沿う形状とされて手先挿入用凹所を形成するとともに該手先挿入用切欠部を覆うカバー材を、前記一対の中方立のそれぞれに取り付ける工程と、
前記戸袋側に面して設けられる内側ボードの戸袋口側の側端部に当接されてこの内側ボードを位置決めする、前記カバー材の壁体側の側端部に設けられた位置決め突片部に、前記内側ボードの戸袋口側の側端部を当接させて位置決めして該内側ボードを施工する工程と、
該内側ボードの外側に、前記壁体を構成する外側のボードを重ね合わせるようにして施工する工程と、を備えていることを特徴とする引戸納め構造の施工方法。
【発明の詳細な説明】
【技術分野】
【０００１】
本発明は、全開させた状態における引戸を戸袋内に収納して納める引戸納め構造及び引戸納め構造の施工方法に関する。
【背景技術】
【０００２】
従来より、開口枠に左右方向に沿ってスライド自在に引戸を建て付け、全開させた状態における上記引戸を戸袋内に収納して納めるいわゆる戸袋納めの引戸の納め構造が知られている。このような戸袋納め構造においては、引戸を全開させた状態では、引戸が戸袋内に収納されるため、該引戸を閉鎖させる際における引戸の操作がし難いという問題があった。
下記特許文献１では、引戸によって開閉される開口部側の戸袋の縁部に、長手方向に沿って切欠段部を設けることで、引戸の建て付けを容易とした引戸ユニットが提案されている。また、この引戸ユニットは、上記切欠段部を隠すカバー部材を備えており、このカバー部材に、引戸の引手位置に合わせて切欠凹所を設けた構成とされている。
【先行技術文献】
【特許文献】
【０００３】
【特許文献１】特開２０１０−１９６２７７号公報
【発明の概要】
【発明が解決しようとする課題】
【０００４】
しかしながら、上記特許文献１に記載された引戸ユニットでは、引戸によって開閉される開口部側の戸袋の縁部の長手方向に沿ってカバー部材が設けられるため、該カバー部材が目立ち易く、戸袋の縁部のその他の部位との違和感が生じ易いという問題があった。
【０００５】
本発明は、上記実情に鑑みてなされたものであり、戸袋に収納された引戸を閉鎖する際における引戸の操作性を向上し得るとともに見栄えを向上し得る引戸納め構造及び引戸納め構造の施工方法を提供することを目的としている。
【課題を解決するための手段】
【０００６】
上記目的を達成するために、本発明に係る引戸納め構造は、開口枠に左右方向に沿ってスライド自在に引戸を建て付け、全開させた状態における前記引戸を戸袋内に収納して納める引戸納め構造であって、前記戸袋の戸袋口を形成するように、該戸袋を区画する前後両側の壁体の戸袋口側の側端部に沿って前後に間隔を空けて一対の中方立をそれぞれに設け、これら一対の中方立の互いに対向する側端部の高さ方向途中位置に、互いに向き合う方向に開口する手先挿入用切欠部をそれぞれに設け、かつ、これら一対の中方立のそれぞれに、前記手先挿入用切欠部を覆うカバー材を取り付けた構造とされており、前記手先挿入用切欠部は、前記一対の中方立の左右方向の全体に亘ってそれぞれに切り欠くように設けられ、前記カバー材のそれぞれは、前記手先挿入用切欠部に沿う形状とされて前記戸袋口を拡大させるように互いに向き合う方向に開口する手先挿入用凹所を形成する構造とされていることを特徴とする。
【０００７】
本発明においては、前記カバー材に、前記中方立の戸先側側面における前記手先挿入用切欠部に沿う縁部を覆う側面縁カバー部を設けてもよい。
また、本発明においては、前記壁体のそれぞれを、複数枚のボードを前後に重ね合わせるようにして形成されるものとし、前記カバー材の壁体側の側端部に、前記戸袋側に面して設けられる内側ボードの戸袋口側の側端部に当接されてこの内側ボードを位置決めする位置決め突片部を設けてもよい。
また、本発明においては、前記ボードを、石膏ボードとしてもよい。
また、本発明においては、前記カバー材によって形成される前記手先挿入用凹所を前記戸袋の戸尻側に向けて延出させるように、前記カバー材の左右方向に沿う寸法を、前記中方立の左右方向に沿う寸法よりも大きく形成してもよい。
また、本発明においては、前記引戸の戸先側端部の前後面のそれぞれに、前後方向に向けて開口する凹状の引手を当該引戸の高さ方向途中位置に設け、前記中方立の手先挿入用切欠部を、この引手の高さ位置に対応した高さ位置に設けてもよい。
【０００８】
また、本発明に係る引戸納め構造の施工方法は、開口枠に左右方向に沿ってスライド自在に引戸を建て付け、全開させた状態における前記引戸を、複数枚のボードを前後に重ね合わせるようにしてそれぞれに形成される前後両側の壁体に区画される戸袋内に収納して納める引戸納め構造の施工方法であって、前記開口枠が設置される開口部の左右方向略中央に、互いに対向する側端部の高さ方向途中位置に互いに向き合う方向に開口する手先挿入用切欠部がそれぞれに設けられた一対の中方立を、前記戸袋の戸袋口を形成するように前後に間隔を空けて施工する工程と、前記手先挿入用切欠部に沿う形状とされて手先挿入用凹所を形成するとともに該手先挿入用切欠部を覆うカバー材を、前記一対の中方立のそれぞれに取り付ける工程と、前記戸袋側に面して設けられる内側ボードの戸袋口側の側端部に当接されてこの内側ボードを位置決めする、前記カバー材の壁体側の側端部に設けられた位置決め突片部に、前記内側ボードの戸袋口側の側端部を当接させて位置決めして該内側ボードを施工する工程と、該内側ボードの外側に、前記壁体を構成する外側のボードを重ね合わせるようにして施工する工程と、を備えていることを特徴とする。
【発明の効果】
【０００９】
本発明によれば、上述のような構成としたことで、戸袋に収納された引戸を閉鎖する際における引戸の操作性を向上させることができるとともに見栄えを向上させることができる。
【図面の簡単な説明】
【００１０】
【図１】（ａ）〜（ｃ）は、いずれも本発明の一実施形態に係る引戸納め構造の一例を模式的に示し、（ａ）は、図２（ａ）におけるＸ１−Ｘ１線矢視に対応させた一部破断概略横断面図、（ｂ）は、図２（ｂ）におけるＸ２−Ｘ２線矢視に対応させた一部破断概略横断面図、（ｃ）は、図２（ｂ）におけるＸ３−Ｘ３線矢視に対応させた一部破断概略横断面図である。
【図２】（ａ）、（ｂ）は、いずれも同引戸納め構造を模式的に示す概略正面図である。
【図３】図２（ｂ）におけるＹ−Ｙ線矢視に対応させた一部破断概略縦断面図である。
【図４】（ａ）、（ｂ）は、いずれも同引戸納め構造に用いられる中方立の一例を模式的に示し、（ａ）は、一部破断概略分解斜視図、（ｂ）は、一部破断概略斜視図である。
【図５】（ａ）〜（ｃ）は、いずれも同引戸納め構造の施工手順の一例を模式的に示し、それぞれ図１（ｃ）に対応させた一部破断概略横断面図である。
【図６】（ａ）、（ｂ）は、いずれも本発明の他の実施形態に係る引戸納め構造に用いられる中方立の一例を模式的に示し、（ａ）は、一部破断概略分解斜視図、（ｂ）は、一部破断概略斜視図、（ｃ）は、同引戸納め構造の施工手順の一例を模式的に示し、図７（ａ）におけるＺ２方向から見た状態に対応させた一部破断概略正面図である。
【図７】（ａ）、（ｂ）は、いずれも同施工手順の一例を模式的に示し、それぞれ図５（ａ）、（ｃ）に対応させた一部破断概略横断面図、（ｃ）は、同引戸納め構造を模式的に示し、図１（ｃ）に対応させた一部破断概略横断面図である。
【発明を実施するための形態】
【００１１】
以下に本発明の実施の形態について、図面に基づいて説明する。
なお、一部の図では、他図に付している詳細な符号の一部を省略している。
また、以下の各実施形態では、図１（ｃ）に示すＺ１方向から見た状態を基準として、図１（ｃ）における上側を後方、下側を前方とし、また、その他の方向を原則的に説明する。
【００１２】
図１〜図５は、第１実施形態に係る引戸納め構造及びこの引戸納め構造の施工手順（施工方法）の一例について説明するための概念的な説明図である。
本実施形態に係る引戸納め構造は、図１及び図２に示すように、開口枠（戸枠）１に、左右方向に沿ってスライド自在に引戸３０を建て付け、全開させた状態（図１（ｂ）及び図２（ｂ）に示す状態）における引戸３０を、戸袋６内に収納して納める構造とされている。また、本実施形態では、一枚からなる片引き式の引戸３０を戸袋６内に収納して納める引戸納め構造を例示している。
【００１３】
開口枠１は、住居等の建物内に設けられた開口部２の内周に沿わせるようにして配設された上枠（鴨居）１０と、この上枠１０の長手方向（左右方向）両側端部にそれぞれの上端部が連結固定された一対の縦枠１２，１３とを備えている。一対の縦枠１２，１３は、引戸３０の戸先側に配設された戸先側縦枠１２と、引戸３０の戸尻側に配設された戸尻側縦枠１３とからなる。また、開口枠１は、開口部２の左右方向略中央で、これら一対の縦枠１２，１３間に配設された一対の中方立（中間縦枠）１４，１４を備えている。
開口部２は、柱材や間柱、横桟（まぐさ）、飼木、床下地（または床材）などの下地（枠下地）３によって正面視して略矩形状に形成されている。なお、下地３としては木造下地に限られず、スタッド等の鋼製下地としてもよい。
開口枠１の周囲（図例では、開口枠１の上方及び左右）には、上記同様の下地（壁下地）３の前面及び後面のそれぞれに沿わせるようにしてボード５が配設され、建物の構造壁や間仕切壁、垂れ壁となる内壁体が形成されている（図３も参照）。
【００１４】
戸袋６は、図１に示すように、戸袋口６ａを形成するように前後方向（見込み方向）に間隔を空けて設けられた一対の中方立１４，１４と、戸尻側縦枠１３とによって、その左右方向（引戸３０の戸幅方向と同方向）両側が区画されている。
また、戸袋６は、これら中方立１４，１４と、これら中方立１４，１４のそれぞれの戸尻側に設けられた前後両側の袖壁状の壁体４，４とによって、その前後方向（引戸３０の戸厚方向と同方向）両側が区画されている。また、これら前後両側の壁体４，４は、本実施形態では、複数枚のボード４０，４１を前後に重ね合わせるようにしてそれぞれ形成されている。図例では、戸袋６側に面して設けられた内側ボード４０と、この内側ボード４０の外側に設けられた外側ボード４１とからなる二枚のボード４０，４１によって、各壁体４，４を形成した例を示している。なお、外側ボード４１は、戸袋６を区画する壁体４，４の寸法（上下寸法及び左右寸法）に対応させたものとしてもよいが、図例では、上記した内壁体のボード５の一部を構成するように、戸袋６を区画する壁体４，４の寸法よりも大きい寸法とした外側ボード４１を例示している。
また、戸袋６は、上方側が上枠１０によって区画され、下方側が下枠または床面（図例では、床面）によって区画されている。
戸袋６の戸先側には、引戸３０によって開放または閉鎖される出入口７が形成されている。この出入口７は、その左右方向両側が戸先側縦枠１２及び一対の中方立１４，１４によって区画され、その上下方向両側が上枠１０及び下枠または床面（図例では、床面）によって区画されている。
【００１５】
上枠１０は、その下面側に、引戸３０のスライド移動を案内する上吊レールや案内溝等の上ガイド部１１（図３参照）を長手方向に沿って有している。本実施形態では、図３に示すように、上ガイド部としての上吊レール１１を上枠１０に設けた例を示している。
また、この上枠１０は、戸先側部位（左側部位）が、開口部２の戸先側に形成される内壁体の壁厚に対応させて幅広部とされ、戸尻側部位（右側部位）が、戸袋６を区画する前後両側の壁体４，４の壁厚を加味して上記幅広部よりも幅の狭い幅狭部とされている（図５（ａ）も参照）。なお、この上枠１０の幅広部と幅狭部とを区切る長手方向略中央部に、一対の中方立１４，１４のそれぞれの上端部が係合する切欠部等を設けるようにしてもよい。
【００１６】
戸先側縦枠１２は、上枠１０の上記幅広部に応じた幅寸法（壁厚方向の幅寸法、見込み方向の寸法）とされ、開口部２の戸先側の内側面に沿うように上下方向に沿って配設される。この戸先側縦枠１２には、引戸３０の戸先側端部３３を受け入れる戸じゃくり溝が上下方向に沿って形成されている。
戸尻側縦枠１３は、上枠１０の上記幅狭部に応じた幅寸法（壁厚方向の幅寸法）とされ、開口部２の戸尻側の内側面に沿うように上下方向に沿って配設される。この戸尻側縦枠１３の戸先側面の上下方向の適所に、引戸３０の戸尻側端部３５が当接または弾接するストッパー部や緩衝体を設けるようにしてもよい。
【００１７】
一対の中方立１４，１４は、それぞれの戸尻側側面（戸尻側縦枠１３側に向く面）１８，１８が、戸袋６を区画する前後両側の壁体４，４の戸袋口６ａ側の側端部４ａ，４ａに当接されるようにして、これら側端部４ａ，４ａに沿ってそれぞれ設けられている。
また、これら中方立１４，１４は、互いに対向する側端部（対向側端部（見込み方向の内方側端部））１５，１５と引戸３０の前面及び後面との間に当該引戸３０の開閉の際に必要となる僅かなクリアランスが形成されるように配置され、これら対向側端部１５，１５のそれぞれが引戸３０の前面及び後面に近接対面するように配置される。このクリアランスは、引戸３０の開閉の際における引戸３０と中方立１４，１４との接触を防止する観点や、戸袋６内を見え難くする観点、戸袋６への異物等の侵入を抑制する観点等から一般的には５ｍｍ〜１０ｍｍ程度とされている。また、これら一対の中方立１４，１４の左右方向に沿う寸法（見付け方向の寸法、厚さ寸法）は、一般的には２０ｍｍ〜３０ｍｍ程度とされている。
【００１８】
上記構成とされた開口枠１は、上枠１０の長手方向の各端面を、各縦枠１２，１３の上端部内側面に突き合わせ、これら縦枠１２，１３の上端部の外側面から釘やねじ等の固定止具を捩じ込んで、上枠１０と各縦枠１２，１３とを連結するようにしてもよい。また、上枠１０の上記切欠部等に一対の中方立１４，１４のそれぞれの上端部を係合させ、釘やねじ等の固定止具を捩じ込んでこれら中方立１４，１４を上枠１０に連結して、開口枠１を組み付けるようにしてもよい。
また、このように組み付けられた開口枠１は、図１〜図３に示すように、開口部２の内周面に沿わせるようにして固定される。図例では、開口部２の内周天面を構成するまぐさや横桟などの枠下地３に沿わせるようにして上枠１０を固定し、開口部２の内周両側面を構成する柱材や飼木などの枠下地３，３に沿わせるようにして一対の縦枠１２，１３を固定した例を示している。また、一対の中方立１４，１４のそれぞれの下端部は、床下地（または床材）などの枠下地３に固定するようにしてもよい。
【００１９】
引戸３０は、上記構成とされた開口枠１にスライド自在に建て付けられる。本実施形態では、当該引戸３０の上端部の両側端部にランナー部材３１，３１を連結固定し、これらランナー部材３１，３１が、上枠１０の上吊レール１１に引戸３０の戸幅方向に沿って走行自在に支持され、当該引戸３０が上吊式で開閉される構成とされている。
また、図例では、床面に、引戸３０のスライド移動をガイドする下ガイド部としてのガイドピン１９を設け、引戸３０の下端面に、このガイドピン１９を受け入れるガイド凹溝３２を設けた例を示している。
【００２０】
この引戸３０は、これら上下のガイド部１１，１９によってガイドされ、図１（ａ）及び図２（ａ）に示すように、出入口７を閉鎖した全閉状態と、図１（ｂ）、（ｃ）及び図２（ｂ）に示すように、出入口７を開放した全開状態との間をスライド自在とされている。また、引戸３０は、全閉状態では、当該引戸３０の戸尻側端部３５と一対の中方立１４，１４とが前後方向で重なり合うように配置される一方、全開状態では、当該引戸３０の戸先側端部３３と一対の中方立１４，１４とが前後方向で重なり合うように配置される。本実施形態では、全開状態とされた引戸３０の全体を、戸袋６内に収納し得る構造としている。図例では、全開状態において、引戸３０の戸先側端面と一対の中方立１４，１４の戸先側側面（見込み面、戸先側縦枠１２に対向する面）１７，１７とが略同一平面状となるように引戸３０を設けた例を示している。なお、全開状態において、引戸３０の戸先側端部３３が僅かに戸袋６から突出するような態様としてもよく、または、引戸３０の戸先側端面が各中方立１４，１４の戸先側側面１７，１７よりも僅かに戸尻側（戸袋６の収納方向奥方側）に位置するような態様としてもよい。
【００２１】
また、引戸３０の戸先側端部３３の前面及び後面のそれぞれには、前後方向に向けて開口する凹状の引手３４，３４が設けられている。これら引手３４，３４は、引戸３０の前面及び後面のそれぞれに引戸３０の厚さ方向に形成された凹部にそれぞれ嵌め込まれた引手部材によって形成されており、当該引戸３０の前面及び後面のそれぞれにおいて凹むような形状とされている。また、これら引手３４，３４は、本実施形態では、図１（ｃ）及び図２（ｂ）に示すように、引戸３０が全開状態において、中方立１４と前後方向で重合しないように、中方立１４よりも僅かに戸尻側に位置するように設けられている。
また、これら引手３４，３４は、当該引戸３０の高さ方向の全長に亘って設けられておらず、高さ方向途中位置に設けられている。これら引手３４，３４が設けられる高さ位置やこれら引手３４，３４の上下寸法等は、操作性等の観点から適宜、設定するようにしてもよい。
【００２２】
なお、開口枠１としては、図例のように下枠を備えない上吊式の開口枠（三方枠）に限られず、引戸の下端部に戸車を設け、この戸車をガイドするレールを備えた下枠を更に備えた開口枠（四方枠）としてもよい。この場合は、上枠１０の上ガイド部を適宜、変形し、引戸３０の上端部に、ランナー部材に代えて、案内片や案内ピン等を設けるようにしてもよい。また、図例のような固定枠に限られず、ケーシング額縁を備えたいわゆるケーシング枠を開口枠として採用するようにしてもよい。
また、開口枠１を構成する各枠材１０，１２，１３，１４，１４は、木質系材料から形成されたものとしてもよい。木質系材料としては、合板やＬＶＬ（単板積層材）等の木質積層板、パーティクルボード等の木質ボード、またはインシュレーションボードやＭＤＦ（中密度繊維板）等の木質繊維板などを採用するようにしてもよい。または、上記各枠材は、例えば、合成樹脂系材料に、木粉や無機フィラー、相溶化剤、着色剤などを所定の含有割合で含有させた木粉（木質）・プラスチック複合材（ＷＰＣ）や、その他の合成樹脂系材料、金属系材料等から形成されたものとしてもよい。
【００２３】
また、戸袋６を区画する前後両側の壁体４，４を形成する各ボード４０，４１は、無垢材や上記同様の木質系材料、または無機質系材料、合成樹脂系材料等を板状に加工したものとしてもよい。また、内側ボード４０の戸袋６側に向く面（内側面）や、外側ボード４１の反戸袋６側に向く面（外側面）に、合成樹脂化粧シートや化粧紙、クロス等の化粧シートまたは突板等の表面化粧材を貼着するようにしてもよい。
本実施形態では、これらボード４０，４１を、石膏ボードからなるものとしている。
【００２４】
上記したように、戸袋６の戸袋口６ａを形成する一対の中方立１４，１４と引戸３０の前面及び後面との間には、図１（ａ）、（ｂ）に示すように、僅かなクリアランスが形成される構造とされている。このような構造では、図１（ｂ）に示す全開状態とした引戸３０を戸袋６内から引き出す際、つまり、引戸３０を閉鎖する際における操作がし難いという傾向がある。
そのため、本実施形態では、一対の中方立１４，１４の対向側端部１５，１５のそれぞれに、図１（ｃ）及び図３に示すように、手先挿入用切欠部１６，１６を設けている（図４（ａ）も参照）。また、これら一対の中方立１４，１４のそれぞれに、それぞれの手先挿入用切欠部１６，１６を覆うカバー材２０，２０を取り付けている。
【００２５】
これら手先挿入用切欠部１６，１６は、それぞれの中方立１４，１４の対向側端部１５，１５の高さ方向途中位置において、互いに向き合う方向に開口するように形成されている。また、これら手先挿入用切欠部１６，１６は、図３に示すように、引戸３０の引手３４，３４の高さ位置に対応した高さ位置に設けられている。
この手先挿入用切欠部１６は、中方立１４を、その厚さ方向（見付け方向、左右方向）の全体に亘って切り欠くようにして形成されており、図３に示すように、中方立１４を戸先側から見て、略矩形状の凹所空間となるように形成されている。
【００２６】
また、この手先挿入用切欠部１６の深さ寸法（前後寸法）は、後記するカバー材２０によって形成される手先挿入用凹所２９を利用した引戸３０の操作性の観点や、中方立１４自体の強度を確保する観点等から適宜、設定するようにしてもよい。例えば、上記したような観点等からは、手先挿入用切欠部１６の深さ寸法を、中方立１４の前後寸法（見込み方向の寸法）の１／４〜３／４程度とすることが好ましく、図例では、中方立１４の前後寸法の２／５程度とした例を示している。また、この手先挿入用切欠部１６の上下寸法は、引戸３０の引手３４の上下寸法と略同寸法としてもよく、または、引戸３０の引手３４の上下寸法よりも僅かに小さい寸法若しくは僅かに大きい寸法としてもよい。
【００２７】
カバー材２０は、図３及び図４に示すように、手先挿入用切欠部１６の内周面（引戸３０側に向く面並びに上方側及び下方側に向く面）に沿う形状とされて手先挿入用凹所２９を形成するとともに手先挿入用切欠部１６を覆う切欠カバー部２１を備えている。この切欠カバー部２１の左右寸法は、本実施形態では、中方立１４の見付け方向の寸法と略同寸法とされている（図１（ｃ）も参照）。
また、本実施形態では、カバー材２０は、中方立１４の戸先側側面１７における手先挿入用切欠部１６に沿う縁部（切欠部側縁部）１７ａを覆う側面縁カバー部２２を備えている。この側面縁カバー部２２は、切欠カバー部２１の戸先側に連なるように設けられている。
【００２８】
また、本実施形態では、カバー材２０は、中方立１４の対向側端面１５ａにおける手先挿入用切欠部１６の上下の縁部１５ｂ，１５ｂを覆う端面縁カバー部２３，２３を備えている。これら端面縁カバー部２３，２３は、切欠カバー部２１の上下に連なるように設けられている。
これら側面縁カバー部２２及び端面縁カバー部２３，２３は、切欠カバー部２１の戸先側及び上下の周縁から中方立１４の戸先側側面１７及び対向側端面１５ａに沿わせるようにして、戸先側及び上下に向けて延出するように形成されている。これら側面縁カバー部２２及び端面縁カバー部２３，２３の延出寸法は、カバー材２０と中方立１４の手先挿入用切欠部１６との隙間を覆う観点や見栄えの観点等から０．５ｍｍ〜１０ｍｍ程度としてもよい。
【００２９】
また、カバー材２０の壁体４側（戸尻側）の側端部には、戸袋６側に面して設けられる内側ボード４０の戸袋口６ａ側（戸先側）の側端部４０ａに当接されてこの内側ボード４０を位置決めする位置決め突片部２５が設けられている（図５も参照）。この位置決め突片部２５は、図５に示すように、その反戸袋６側に向く面（外側面）が内側ボード４０の戸袋口６ａ側の側端部４０ａの戸袋６側に向く面（内側面）に当接される。この位置決め突片部２５は、内側ボード４０の側端部４０ａの前後方向（ボード厚さ方向）位置を位置決めする際に位置決め部として機能する。
また、この位置決め突片部２５は、切欠カバー部２１の戸尻側の縁部から戸袋６の内方側（戸袋６の前後方向中心側）に向けて突出するように形成された突片部２４の突出方向先端部から戸尻側に向けて突出するように形成されている。図例では、切欠カバー部２１の戸尻側の縁部に、横断面略Ｌ字状片部を連なるように形成して、これら突片部２４及び位置決め突片部２５を形成している。この位置決め突片部２５の突片部２４からの突出寸法は、内側ボード４０の厚さ方向への位置決めが可能なように適宜、設定するようにしてもよい。
【００３０】
突片部２４は、図５に示すように、その戸尻側の面が内側ボード４０の戸袋口６ａ側の端面に近接対面または当接するように配置され、内側ボード４０の戸袋口６ａ側の端面を覆うボード端面カバー部として機能する。この突片部２４の突出寸法は、図例では、内側ボード４０のボード厚さ寸法と略同寸法とされている。また、この突片部２４は、その突出方向先端部に設けられた位置決め突片部２５が中方立１４の対向側端面１５ａ（図４参照）よりも前後方向において外側（中方立１４の見付け面側）に位置するように形成されている。この突片部２４の突出寸法は、位置決め突片部２５と引戸３０との間に、上記クリアランスよりも大きく、かつ成人の手指の挿入が可能な手先挿入用凹所２９（図１（ｃ）参照）が形成されるように、適宜、設定するようにしてもよい。例えば、位置決め突片部２５と引戸３０との間の前後寸法を、１５ｍｍ〜３０ｍｍ程度としてもよい。
これによれば、上記のように、引戸３０の引手３４を、引戸３０が全開状態において、中方立１４よりも僅かに戸尻側に位置するように設けた構造とした場合にも、引手３４に手指等を掛け易くなる。
【００３１】
上記構成とされた各カバー材２０，２０を各中方立１４，１４に取り付けた状態では、図１（ｃ）及び図３に示すように、これらカバー材２０，２０によって、引戸３０の前面側及び後面側に、手先挿入用凹所２９，２９がそれぞれ形成される。これら手先挿入用凹所２９，２９は、これらが設けられた部位において戸袋口６ａを拡大させるようにして、戸先側に向けて開口するとともに、互いに向き合う方向に開口するような空間を形成している。
この手先挿入用凹所２９の寸法は、引戸３０との間に、成人の手指等の挿入が可能で、全開状態とされた引戸３０の戸先側端部３３を手指で挟んで引き出し可能な空間が形成されるように適宜、設定するようにしてもよい。例えば、切欠カバー部２１の引戸３０側に向く面と引戸３０との間の前後寸法を、１５ｍｍ〜４５ｍｍ程度としてもよい。
【００３２】
なお、カバー材２０は、木粉（木質）・プラスチック複合材（ＷＰＣ）や、その他の合成樹脂系材料、金属系材料等から上記形状に形成されたものとしてもよい。
また、カバー材２０の上記した各部は、比較的に薄く形成するようにしてもよく、例えば、０．５ｍｍ〜２ｍｍ程度としてもよい。
また、カバー材２０の中方立１４への取り付けは、接着剤や粘着テープ（粘着材）等によって取り付けるようにしてもよく、これに代えてまたは加えて、釘やねじ等の固定止具によって取り付けるようにしてもよい。
【００３３】
上記構成とされた本実施形態に係る引戸納め構造によれば、戸袋６に収納された引戸３０を閉鎖する際における引戸３０の操作性を向上させることができるとともに見栄えを向上させることができる。
つまり、戸袋６の戸袋口６ａを形成するように設けられる一対の中方立１４，１４の対向側端部１５，１５の高さ方向途中位置に、手先挿入用切欠部１６，１６をそれぞれに設け、これを覆うカバー材２０，２０をそれぞれに取り付けた構造としている。従って、前後の壁体４，４に対面した状態におけるこれら中方立１４，１４の外側端面（見付け面）には、手先挿入用切欠部１６，１６及びこれを覆うカバー材２０，２０が露出せず、開口枠１としての中方立１４，１４の外観を阻害することがない。また、手先挿入用切欠部１６は、カバー材２０で覆われるため、見栄えを向上させることができる。
また、中方立１４を、木質系材料や木粉（木質）・プラスチック複合材（ＷＰＣ）から形成されたものとし、切削により手先挿入用切欠部１６を形成した場合にも、切削面をカバー材２０によって容易に覆い隠すことができ、簡易な構造で見栄えを向上させることができる。
さらに、カバー材２０が取り付けられて形成された手先挿入用凹所２９を介して、戸袋６に収納された引戸３０を、容易に引き出すことができ、戸袋６に収納された引戸３０を閉鎖する際における引戸３０の操作性を向上させることができる。また、引戸３０との間に手先挿入用凹所２９が形成されるので、この手先挿入用凹所２９が設けられた部位では、引戸３０を開放させる際に生じる傾向がある中方立１４と引戸３０との間における手指等の挟み込み（指詰め）を抑制することもできる。
【００３４】
さらにまた、本実施形態では、カバー材２０に、中方立１４の戸先側側面１７の切欠部側縁部１７ａを覆う側面縁カバー部２２を設けている。従って、中方立１４の戸先側側面１７側において、手先挿入用切欠部１６とカバー材２０（切欠カバー部２１）との間に隙間があるような場合にも側面縁カバー部２２によって覆い隠すことができ、見栄えをより向上させることができる。
また、カバー材２０を中方立１４に取り付ける際に、カバー材２０の中方立１４に対する左右方向（見付け方向）取り付け位置の位置決めとして側面縁カバー部２２を利用することもでき、施工性を向上させることができる。
【００３５】
また、本実施形態では、カバー材２０に、中方立１４の対向側端面１５ａにおける手先挿入用切欠部１６の上下の縁部１５ｂ，１５ｂを覆う端面縁カバー部２３，２３を設けている。従って、中方立１４の対向側端面１５ａ側において、手先挿入用切欠部１６の上下縁とカバー材２０（切欠カバー部２１）との間に隙間があるような場合にも、これら端面縁カバー部２３，２３によって覆い隠すことができ、見栄えをより向上させることができる。
【００３６】
さらに、本実施形態では、戸袋６を区画する前後両側の壁体４，４のそれぞれを、複数枚のボード４０，４１を前後に重ね合わせるようにして形成している。従って、戸袋６側に面する内側ボード４０によって戸袋６の内側面が形成されるので、例えば、桟材や胴縁等の軸組みによって戸袋６の内側を形成するものと比べて、すっきりとした印象となり、見栄えが良い。また、戸袋６の内側面が平滑となるので、上記軸組み構造とした場合と比べて、該内側面の高さ方向途中に塵埃等が溜まったりするようなことがなく、付着し難くなる。
また、カバー材２０の壁体４側の側端部に、内側ボード４０の戸袋口６ａ側の側端部４０ａに当接されてこの内側ボード４０を位置決めする位置決め突片部２５を設けている。従って、戸袋６を区画する壁体４を構成する内側ボード４０の位置決めを容易に行うことができ、施工性を向上させることができる。
【００３７】
さらに、本実施形態では、内側ボード４０の戸袋口６ａ側の端面を覆うボード端面カバー部として機能する突片部２４を設けている。従って、上記のように複数枚のボード４０，４１によって戸袋６を区画する前後両側の壁体４，４を形成する態様とした場合にも、内側ボード４０の端面が戸先側から見た際に露出せず、見栄えを向上させることができる。
さらにまた、本実施形態では、これらボード４０，４１を、石膏ボードからなるものとしているので、戸袋６を区画する前後両側の壁体４，４の耐火性、断熱性、遮音性を向上させることができる。
【００３８】
また、本実施形態では、引戸３０の戸先側端部３３の前後面のそれぞれに、凹状の引手３４，３４を引戸３０の高さ方向途中位置に設け、各中方立１４，１４の手先挿入用切欠部１６，１６を、引手３４，３４の高さ位置に対応した高さ位置に設けている。従って、引手３４の高さ位置に対応した高さ位置に手先挿入用凹所２９が形成されることとなるため、引手３４が凹状であることと相俟って、戸袋６に収納された引戸３０の引手３４に手指を掛け易くなる。従って、戸袋６に収納された引戸３０を閉鎖する際における引戸３０の操作性をより向上させることができる。
【００３９】
次に、上記構成とされた引戸納め構造の施工手順（施工方法）の一例について説明する。
まず、図５（ａ）に示すように、上述のように組み付けた開口枠１を、開口部２に設置する。つまり、開口部２の上側に上枠１０、左右両側に各縦枠１２，１３、左右方向略中央に一対の中方立１４，１４を施工する。
次いで、図５（ａ）、（ｂ）に示すように、戸袋６の前後両側を区画する壁体４，４（図１等参照）のそれぞれの内側ボード４０，４０を施工する。この際、各内側ボード４０，４０の戸袋口６ａ側の側端部４０ａ，４０ａを各カバー材２０，２０の位置決め突片部２５，２５に当接させることで、これら内側ボード４０，４０の厚さ方向の位置決めを容易に行うことができる。また、図例では、各内側ボード４０，４０の戸尻側の側端部を戸尻側縦枠１３の外側面に当接させて位置決めした例を示している。これら内側ボード４０，４０は、上枠１０や戸尻側縦枠１３、各中方立１４，１４、さらには床下地（または床材）等に釘やねじ等の固定止具によって固定するようにしてもよい。
【００４０】
次いで、図５（ｃ）に示すように、各内側ボード４０，４０の外側面に、左右方向に間隔を空けて複数本の胴縁等の下地４２，４２を上下方向に沿わせるようにして固定する。これら下地４２，４２は、内側ボード４０と同様、上枠１０や戸尻側縦枠１３、各中方立１４，１４、さらには床下地（または床材）等に釘やねじ等の固定止具によって固定するようにしてもよい。図例では、これら下地４２，４２を、これらの外側面が下地（壁下地）３の前面及び後面と略同一平面状となるように設けた例を示している。
そして、各内側ボード４０，４０のそれぞれの外側に、下地４２，４２を介して、外側ボード４１，４１を重ね合わせるようにしてそれぞれ施工する。これら外側ボード４１，４１は、下地４２，４２や、上記した下地（壁下地）３等に釘やねじ等の固定止具によって固定するようにしてもよい。
次いで、図１〜図３に示すように、引戸３０を開口枠１に建て付けることで、本実施形態に係る引戸納め構造を施工するようにしてもよい。
【００４１】
上記構成とされた本実施形態に係る引戸納め構造の施工方法によれば、上述のように、戸袋６を区画する壁体４を構成する内側ボード４０の位置決めを容易に行うことができ、施工性を向上させることができる。
なお、上記施工手順は一例であり、各部材及び各部の機能を阻害しない限りにおいて別手順でなされるようにしてもよい。例えば、上記した例では、内側ボード４０を施工した後に、外側ボード４１を施工した例を示しているが、これら複数枚のボード４０，４１を枠組みした芯材の表裏に固定して壁下地体を形成し、この壁下地体を開口枠１等に対して固定して設置するようにしてもよい。また、戸袋６を区画する前後両側の壁体４，４を施工した後に、これら壁体４，４の戸袋口６ａ側の側端部４ａ，４ａに沿わせるようにして、一対の中方立１４，１４を施工する態様としてもよい。この場合は、カバー材２０の位置決め突片部２５を壁体４に対する中方立１４の位置決めとして機能させるようにしてもよい。
【００４２】
次に、本発明に係る他の実施の形態について、図面を参照しながら説明する。
図６及び図７は、第２実施形態に係る引戸納め構造及びこの引戸納め構造の施工手順（施工方法）の一例について説明するための概念的な説明図である。
なお、上記第１実施形態との相違点について主に説明し、同様の構成については、同一符号を付し、その説明を省略または簡略に説明する。また、同様の施工手順についてもその説明を省略または簡略に説明する。
【００４３】
本実施形態では、カバー材２０Ａ及び戸袋６を区画する前後両側の壁体４Ａ，４Ａの構成が上記第１実施形態とは主に異なる。
カバー材２０Ａは、図７（ｃ）に示すように、当該カバー材２０Ａによって形成される手先挿入用凹所２９Ａを戸袋６の戸尻側に向けて延出させるように、左右方向に沿う寸法が、中方立１４の厚さ寸法よりも大きく形成されている。図例では、中方立１４の手先挿入用切欠部１６を覆う切欠カバー部２１Ａを、戸尻側に延出させるようにして、この切欠カバー部２１Ａの左右方向に沿う寸法を、中方立１４の厚さ寸法よりも大きく形成した例を示している（図６も参照）。この切欠カバー部２１Ａの左右方向に沿う寸法は、引戸３０の引手３４に手先挿入用凹所２９Ａの少なくとも一部が前後方向で重合し、手先挿入用凹所２９Ａを介して引手３４に手指が掛けられるような寸法としてもよい。
【００４４】
上記構成によれば、中方立１４の厚さ寸法が２０ｍｍ〜３０ｍｍ程度の比較的に小さい寸法の場合にも、戸袋６に収納された引戸３０を閉鎖する際における引戸３０の操作性をより向上させることができる。
また、上記のように切欠カバー部２１Ａの左右方向に沿う寸法を、手先挿入用凹所２９Ａを介して引手３４に手指が掛けられるような寸法とすることで、引手３４をして引戸３０を引き出すことができ、引戸３０を閉鎖する際における引戸３０の操作性を極めて向上させることができる。また、これによれば、引戸３０とカバー材２０Ａの位置決め突片部２５Ａまたは戸袋６の内面（図例では内側ボード４０）との間に手指の差し入れスペースがないような場合にも、戸尻側に延出させた手先挿入用凹所２９Ａを利用して、引手３４に手指を掛けることができる。
【００４５】
カバー材２０Ａの切欠カバー部２１Ａの戸尻側の縁部には、上記同様の突片部２４が設けられている。
また、壁体４Ａを構成する内側ボード４０Ａの戸袋口６ａ側の側端部４０ａには、図６（ｃ）に示すように、カバー材２０Ａの突片部２４及び切欠カバー部２１Ａの戸尻側の延出させた部位（延出部位）を受け入れる切欠凹所４０ｂが形成されている（図７も参照）。
また、本実施形態では、カバー材２０Ａの位置決め突片部２５Ａを、この内側ボード４０Ａの内側面における切欠凹所４０ｂに沿う縁部を覆う形状としている。つまり、位置決め突片部２５Ａは、突片部２４の突出方向先端部に連なるように形成されるとともに、切欠カバー部２１Ａの延出部位の上下の縁部に連なるように形成されており、正面視して（図７（ａ）のＺ２方向から見て）、図６（ｃ）に示すように、戸先側に向けて開口するような略コ字状（略倒Ｕ字状）に形成されている。
位置決め突片部２５Ａをこのような構成とすることで、上記のように内側ボード４０Ａに切欠凹所４０ｂを形成した場合にも、戸先側（戸袋口６ａ側）から見た状態では、内側ボード４０Ａの切欠凹所４０ｂが露出せず、見栄えを向上させることができる。
【００４６】
また、本実施形態では、図６（ａ）、（ｂ）に示すように、カバー材２０Ａに、中方立１４の戸尻側側面１８における手先挿入用切欠部１６の上下の縁部の内側部位を覆う戸尻側縁カバー部２６，２６を設けている。このような戸尻側縁カバー部２６，２６を設けることで、上記した側面縁カバー部２２とともに、中方立１４に対するカバー材２０Ａの左右方向の位置決めをより容易に行うことができる。なお、これら戸尻側縁カバー部２６，２６を設けないようにしてもよい。
【００４７】
次に、上記構成とされた引戸納め構造の施工手順（施工方法）の一例について説明する。
まず、上記同様、図７（ａ）、（ｂ）に示すように、開口枠１を開口部２に設置し、戸袋口６ａ側の側端部４０ａ，４０ａに切欠凹所４０ｂ，４０ｂをそれぞれ設けた内側ボード４０Ａ，４０Ａを施工する（図６（ｃ）も参照）。この際、内側ボード４０Ａの切欠凹所４０ｂに、カバー材２０Ａの突片部２４及び切欠カバー部２１Ａの延出部位を受け入れさせるようにして、内側ボード４０Ａを施工する。また、この際、上記第１実施形態と同様、各内側ボード４０Ａ，４０Ａの戸袋口６ａ側の側端部４０ａ，４０ａ（図６（ｃ）参照）を各カバー材２０Ａ，２０Ａの位置決め突片部２５Ａ，２５Ａに当接させることで、これら内側ボード４０Ａ，４０Ａの厚さ方向の位置決めを容易に行うことができる。
図例では、これら内側ボード４０Ａ，４０Ａを、それぞれの外側面が、下地（壁下地）３の前面及び後面と略同一平面状となるように固定した例を示している。
【００４８】
次いで、図７（ｂ）、（ｃ）に示すように、各内側ボード４０Ａ，４０Ａのそれぞれの外側に、外側ボード４１，４１を重ね合わせるようにしてそれぞれ施工する。本実施形態では、内側ボード４０Ａと外側ボード４１との間に下地を設けずに、内側ボード４０Ａの外側面に直接的に外側ボード４１を固定した例を示している。これら外側ボード４１，４１は、内側ボード４０Ａに接着剤や粘着材等によって固定するようにしてもよく、また、上記同様、開口枠１の各枠材や下地（壁下地）３等に釘やねじ等の固定止具によって固定するようにしてもよい。
次いで、図７（ｃ）に示すように、引戸３０を開口枠１に建て付けることで、本実施形態に係る引戸納め構造を施工するようにしてもよい。
【００４９】
上記構成とされた本実施形態に係る引戸納め構造の施工方法によっても、上記第１実施形態と同様、戸袋６を区画する壁体４を構成する内側ボード４０Ａの位置決めを容易に行うことができ、施工性を向上させることができる。
また、本実施形態では、内側ボード４０Ａと外側ボード４１との間に下地を設けずに、内側ボード４０Ａの外側面に直接的に外側ボード４１を固定する態様としているので、より施工性を向上させることができるとともに、簡易な構造となる。
なお、上記施工手順は一例であり、上記第１実施形態と同様、各部材及び各部の機能を阻害しない限りにおいて別手順でなされるようにしてもよい。
また、上記第１実施形態においても、本実施形態と同様、内側ボード４０と外側ボード４１との間に下地４２を設けずに、内側ボード４０の外側面に直接的に外側ボード４１を固定する態様としてもよい。さらには、本実施形態においても、上記第１実施形態と同様の下地４２を設ける態様としてもよい。これらの場合には、各部材を適宜、必要に応じて変形するようにしてもよい。
【００５０】
なお、上記各実施形態では、引戸３０の高さ方向途中位置に引手３４を設けた例を示しているが、引戸３０の高さ方向の略全体に亘って凹状の引手を設けた態様としてもよい。
また、上記各実施形態では、引戸３０の引手３４を、引戸３０が全開状態において、中方立１４よりも僅かに戸尻側に位置するように設けた構造とした例を示しているが、このような態様に限られない。例えば、引戸３０が全開状態において、中方立１４に引手３４の少なくとも一部が前後方向で重合するような態様としてもよい。
さらに、引戸３０の引手３４としては、凹状のものに限られず、引戸３０の前面及び後面から突出するように設けられたものとしてもよい。
【００５１】
さらにまた、上記各実施形態では、カバー材２０（２０Ａ）に、側面縁カバー部２２、端面縁カバー部２３，２３、突片部２４及び位置決め突片部２５（２５Ａ）を設けた例を示しているが、少なくとも切欠カバー部２１（２１Ａ）を備えた構成とすればよい。
また、上記各実施形態では、中方立１４の手先挿入用切欠部１６を、中方立１４を戸先側から見て、略矩形状の凹所空間となるように形成し、カバー材２０（２０Ａ）をこれに応じた形状とした例を示しているが、このような態様に限られない。例えば、手先挿入用切欠部１６によって形成される凹所空間が、中方立１４を戸先側から見て、略半円形状や略半長円形状、略半楕円形状、さらには略半多角形状となるように形成されたものとしてもよい。この場合は、カバー材２０（２０Ａ）を、手先挿入用切欠部１６の形状に応じた形状とすればよい。
【００５２】
また、上記各実施形態では、戸袋６の前後両側を区画するそれぞれの壁体４，４（４Ａ，４Ａ）を、複数枚のボードを前後に重ね合わせるようにして形成した例を示しているが、このような態様に限られない。例えば、内側ボード４０（４０Ａ）を設けずに、外側ボード４１（５）の内側に桟材や胴縁等の軸組みを設け、この軸組みによって戸袋６の内側を形成する態様としてもよい。この場合は、カバー材２０（２０Ａ）に、位置決め突片部２５（２５Ａ）を設けないようにしてもよく、また、突片部２４も設けないようにしてもよい。
さらに、上記各実施形態では、開口部２の上側に垂れ壁を形成するように開口部２を設けた例を示しているが、床面から天井面に略至る高さ寸法とされた開口部２とし、この開口部２に対して開口枠１を施工する態様としてもよい。この場合は、上枠１０を天井面に沿わせるようにして設ける態様としてもよく、または、上枠１０の一部若しくは全体を天井に埋め込むようにして設ける態様としてもよい。
さらにまた、上記各実施形態では、片引き式の一枚の引戸３０を戸袋６に収納する引戸納め構造について例示しているが、複数枚の引戸を戸袋に収納する引戸納め構造としてもよい。
【符号の説明】
【００５３】
１            開口枠
１４          中方立
１５          対向側端部（一対の中方立の互いに対向する側端部）
１６          手先挿入用切欠部
１７          戸先側側面
１７ａ        切欠部側縁部（戸先側側面における手先挿入用切欠部に沿う縁部）
２０，２０Ａ  カバー材
２２          側面縁カバー部
２５，２５Ａ  位置決め突片部
２９，２９Ａ  手先挿入用凹所
３０          引戸
３３          戸先側端部
３４          引手
２            開口部
４，４Ａ      壁体
４ａ          戸袋口側の側端部
４０，４０Ａ  内側ボード
４０ａ        戸袋口側の側端部
４１          外側ボード
６            戸袋
６ａ          戸袋口
【図１】
0005756917.tif 000002
【図２】
0005756917.tif 000003
【図３】
0005756917.tif 000004
【図４】
0005756917.tif 000005
【図５】
0005756917.tif 000006
【図６】
0005756917.tif 000007
【図７】
0005756917.tif 000008